(57)【要約】【課題】打球音を改善でき、且つ他の諸性能を高めうるゴルフクラブヘッドの提供。【解決手段】フェース部４、クラウン部６、ソール部８及び凹部１０を備えたゴルフクラブヘッド２である。凹部１０は、ソール部８の周囲に設けられている。凹部１０の最大高さＨｍは、１０ｍｍ以上である。基準平面に投影されたソール部８の投影面積Ｓ１は、基準平面に投影されたクラウン部６の投影面積Ｓ２の４０％以上６５％以下である。ヘッド２は、中空である。好ましくは、凹部１０の縁Ｆ１とこれに近接するソールエッジＥ１との成す最大角度θｍは、４５度以上である。好ましくは、ソール面のトウ−ヒール方向における曲率半径が９．０ｃｍ以上１１．５ｃｍ以下である。好ましくは、ヘッド２の体積は４００ｃｃ以上５００ｃｃ以下である。【選択図】図４
2008183037.tif 000002
【特許請求の範囲】
【請求項１】
フェース部、クラウン部、ソール部及び凹部を備え、
この凹部が、上記ソール部の周囲に設けられ、
この凹部の最大高さＨｍは、１０ｍｍ以上であり、
基準平面に投影されたソール部の投影面積Ｓ１は、基準平面に投影されたクラウン部の投影面積Ｓ２の４０％以上６５％以下である中空のゴルフクラブヘッド。
【請求項２】
上記凹部の縁とこれに近接するソールエッジとの成す最大角度θｍは、４５度以上である請求項１に記載のゴルフクラブヘッド。    
【請求項３】
ソール面のトウ−ヒール方向における曲率半径が９．０ｃｍ以上１１．５ｃｍ以下である請求項１に記載のゴルフクラブヘッド。
【請求項４】
ヘッド体積が４００ｃｃ以上５００ｃｃ以下である請求項１に記載のゴルフクラブヘッド。
【発明の詳細な説明】
【技術分野】
【０００１】
本発明は、中空のゴルフクラブヘッドに関する。
【背景技術】
【０００２】
中空のゴルフクラブヘッドに求められる性能として、打球音、反発性、慣性モーメント、構えやすさ等が挙げられる。中空のゴルフクラブヘッドの打球音は、大きい。中空のゴルフクラブヘッドでは、打球音の改善が求められている。周波数が高く且つ澄んだ打球音が好まれる傾向にある。また、中空のゴルフクラブヘッドの体積は、大きい。大きいヘッドは、構えにくい場合がある。構えやすさは、座りの良さと関係する。座りの良さとは、アドレス時におけるヘッドの安定性を意味する。座りの悪いヘッドは、アドレス時において安定しない。
【０００３】
打球音を改善するための提案がなされている。特開平１０−３３７２４号公報は、打球音を改善するため、ヘッド内部にＹ字状の金属を設けたヘッドを開示する。特開２００２−１２６１３６公報は、打球音を改善するため、ヘッド内部に線状突起を設けたヘッドを開示する。特開２００４−４９５５９公報は、打球音を改善するため、ソール形状を工夫したヘッドを開示する。特開２００４−４９７３３公報は、打球音を改善するため、ソールの厚さを工夫したヘッドを開示する。
【特許文献１】特開平１０−３３７２４号公報
【特許文献２】特開２００２−１２６１３６公報
【特許文献３】特開２００４−４９５５９公報
【特許文献４】特開２００４−４９７３３公報
【発明の開示】
【発明が解決しようとする課題】
【０００４】
上記従来技術では、打球音以外の性能は必ずしも充分でない。また、特開平１０−３３７２４号公報に記載されたヘッドでは、Ｙ字状の金属に多くの重量を要するので、ヘッドの設計自由度が大きく低下する。また、打球時の衝撃によりＹ字状の金属が外れるおそれがある。
【０００５】
本発明者は、打球音の改善に加え、中空ヘッドの諸性能を高めうる新たなヘッドを見出した。本発明の目的は、打球音を改善でき、且つ他の諸性能を高めうるゴルフクラブヘッドの提供にある。
【課題を解決するための手段】
【０００６】
本発明に係るゴルフクラブヘッドは、フェース部、クラウン部、ソール部及び凹部を備える。この凹部は、上記ソール部の周囲に設けられている。上記凹部の最大高さＨｍは、１０ｍｍ以上である。基準平面に投影されたソール部の投影面積Ｓ１は、基準平面に投影されたクラウン部の投影面積Ｓ２の４０％以上６５％以下である。このゴルフクラブヘッドは、中空である。
【０００７】
好ましくは、上記凹部の縁とこれに近接するソールエッジとの成す最大角度θｍは、４５度以上である請求項１に記載のゴルフクラブヘッド。    
【０００８】
好ましくは、トウ−ヒール方向におけるソール面の曲率半径が９．０ｃｍ以上１１．５ｃｍ以下とされる。
【０００９】
好ましくは、ヘッド体積が４００ｃｃ以上５００ｃｃ以下とされる。
【発明の効果】
【００１０】
打球音が良く高性能な中空ゴルフクラブヘッドが得られうる。  
【発明を実施するための最良の形態】
【００１１】
以下、適宜図面が参照されつつ、好ましい実施形態に基づいて本発明が詳細に説明される。
【００１２】
図１は、本発明の第一実施形態であるゴルフクラブヘッド２をクラウン側から見た図である。図２は、ヘッド２をソール側から見た図である。図３は、ヘッド２をトウ側から見た図である。図４は、図１のIV−IV線に沿った断面図である。
【００１３】
ヘッド２は、フェース部４、クラウン部６、ソール部８、凹部１０及びホーゼル部１２を備える。フェース部４の外面はフェース面１４である。クラウン部６の外面がクラウン面１６である。クラウン面１６は、滑らかに連続している。ソール部８の外面がソール面１８である。ホーゼル部１２は、シャフト穴２０を備える。図４が示すように、ヘッド２の内部は、中空である。ヘッド２は、中空のゴルフクラブヘッドである。ヘッド２は、ウッド型のゴルフクラブである。本発明において好ましいヘッドは、ドライバー用ヘッド、フェアウエイウッド用ヘッド及びユーティリティークラブ用ヘッドであり、特に好ましくは、ドライバー用ヘッド及びフェアウエイウッド用ヘッドである。
【００１４】
更にヘッド２は、サイド部２２を有する。サイド部２２の外面がサイド面２４である。サイド部２２は、クラウン部６とソール部８との間に位置する。サイド部２２は、無くても良い。
【００１５】
凹部１０は、ソール部８の周囲に設けられている。凹部１０は、ソール部８とサイド部２２との間に設けられている。凹部１０は、ソール部８に近接又は隣接している。凹部１０は、ソール面１８に隣接している。凹部１０の外面は、ソール面１８と連続している。
【００１６】
ソール面１８の少なくとも一部は、下記の基準状態において基準平面と接しうる。ソール面１８は、ほぼ滑らかに連続した面である。ただし、本願において、５ｍｍ未満の段差はソール面１８の外縁（ソールエッジ）を確定しない場合がある。５ｍｍ未満の段差の外側もソール面１８に含まれうる。高さ又は深さが５ｍｍ未満の溝や凹部（ロゴマーク等）もソール面１８に含まれうる。凹部１０との隣接部分においてソール面１８の外縁が不明確である場合、凹部１０の縁Ｆ１（後述）がソールエッジとされうる。
【００１７】
凹部１０は、一般にソール部及び／又はサイド部と称されうる部分に設けられている。しかし、本願では、ソール部８と凹部１０とは区別されている。更に本願では、凹部１０とサイド部２２とは区別されている。
【００１８】
本願では、ヘッドの基準状態が定義される。この基準状態は、所定のライ角及びリアルロフト角通りに水平面Ｖ１上に載置された状態である。所定のライ角及びリアルロフト角とは、例えば製品カタログに記載された値である。
【００１９】
本願では、直線Ｌ１、Ｘ軸、Ｙ軸及びＺ軸が定義される。直線Ｌ１（図示しない）は、ヘッド重心からフェース面１４に下ろした垂線である。直線Ｌ１は、ヘッド重心及びスイートスポットを通る。Ｘ軸は、直線Ｌ１を水平面Ｖ１に投影した投影像である。この投影の方向は、水平面Ｖ１に対して垂直な方向である。Ｙ軸は、水平面Ｖ１に対して平行であり且つＸ軸に対して垂直である。Ｚ軸は、Ｘ軸に対して垂直であり且つＹ軸に対して垂直である。図１及び図４では、各軸の方向が示されている。水平面Ｖ１が、本願における基準平面である。本願において、Ｚ軸の方向が、上下方向である。本願において、Ｙ軸の方向が、トウ−ヒール方向である。本願において、Ｘ軸の方向が、フェース−バック方向である。本願において、Ｘ軸の方向が、前後方向である。
【００２０】
凹部１０の縁Ｆ１は、凹部１０と他の部分との境界である。凹部１０の縁Ｆ１は、次のように定める。Ｘ軸及びＺ軸と平行な平面ＰＬ１におけるヘッドの断面を考える。この平面ＰＬ１は、Ｙ軸方向のあらゆる位置において定められ得る。図４は、平面ＰＬ１による断面の一例である。平面ＰＬ１による断面において、凹部１０を塞ぎつつヘッドの外面に接する直線Ｌ２を考える（図４参照）。この直線Ｌ２とヘッドとの交点が、凹部１０の縁Ｆ１である。Ｙ軸方向のあらゆる位置において、平面ＰＬ１が定まる。この平面ＰＬ１による断面も、Ｙ軸方向のあらゆる位置において定まる。凹部１０の縁Ｆ１も、Ｙ軸方向のあらゆる位置において定まる。
【００２１】
図４において両矢印Ｈ１で示されているのは、縁Ｆ１の高さである。高さＨ１は、Ｚ軸方向における２つの縁Ｆ１の距離である。高さＨ１は、Ｚ軸方向における凹部１０の幅である。Ｙ軸方向のあらゆる位置において定まる。Ｙ軸方向の位置によって、高さＨ１は変化しうる。最大高さＨｍは、高さＨ１のうちの最大値である。
【００２２】
最大高さＨｍが大きい場合、ソール部８の面積が狭くなりやすい。打撃時においてソール部８は振動する。面積が狭いソール部８の振動数は大きい。大きい振動数により、高い打球音が発生しやすい。高い打球音は、ゴルファーに好まれやすい。最大高さＨｍが大きい場合、凹部１０の外面の表面積Ｓ３が広くなりやすい。打撃時においては、凹部１０に応力が集中しやすい。表面積Ｓ３が広くされることにより、凹部１０への応力集中が緩和されうる。これは、ヘッドの耐久性の向上に寄与しうる。これらの観点から、最大高さＨｍは、１０ｍｍ以上が好ましく、１２ｍｍ以上がより好ましく、１５ｍｍ以上が特に好ましい。ヘッド寸法の制約から、最大高さＨｍは４０ｍｍ以下が好ましく、３０ｍｍ以下がより好ましく、２５ｍｍ以下が更に好ましい。
【００２３】
凹部１０による効果を高める観点から、凹部１０の表面積Ｓ３は、５ｃｍ２以上が好ましく、１０ｃｍ２以上がより好ましい。ソール部８の投影面積Ｓ１が過度に小さくなることを抑制する観点から、凹部１０の表面積Ｓ３は、５０ｃｍ２以下が好ましい。なお、凹部１０が２箇所以上ある場合、表面積Ｓ３は、２箇所以上ある凹部１０の表面積の合計である。
【００２４】
本願では、ソール部８の投影面積Ｓ１と、クラウン部６の投影面積Ｓ２とが規定される。投影面積Ｓ１は、上記基準状態のヘッドにおいて、上記基準平面に投影されたソール面１８の投影面積である。この投影の方向は、基準平面に対して垂直な方向である。投影面積Ｓ２は、上記基準状態のヘッドにおいて、上記基準平面に投影されたクラウン面１６の投影面積である。この投影の方向は、基準平面に対して垂直な方向である。
【００２５】
ソール部８の投影面積Ｓ１は、クラウン部６の投影面積Ｓ２よりも小さい。小さい投影面積Ｓ１により、打球音の周波数が高くなりやすい。更に、投影面積Ｓ１が狭い場合、ソール部８を厚くしてもヘッド重量の増加が少ない。よって、投影面積Ｓ１が狭い場合、ソール部８を厚くしやすい。厚いソール部８により、ソール部８の振動数は更に高くなる。
【００２６】
座りを良くする観点から、ソール部８の投影面積Ｓ１は、クラウン部６の投影面積Ｓ２の４０％以上が好ましく、４１％以上がより好ましく、４５％以上がより好ましく、５３％以上が更に好ましい。打球音を高くする観点から、ソール部８の投影面積Ｓ１は、クラウン部６の投影面積Ｓ２の６５％以下が好ましく、６２％以下がより好ましく、６０％以下が更に好ましい。
【００２７】
クラウン部６の投影面積Ｓ２が過度に狭い場合、ヘッド体積が小さくなりやすい。投影面積Ｓ２を小さくしたままヘッド体積を大きくするためには、ヘッドの高さを高くする必要が生ずる。ヘッド高さが高くされた典型例は、いわゆるディープフェースのヘッドである。ヘッド高さが高くなりすぎると、ヘッド重心が過度に高くなる。ヘッド重心が高くなると、いわゆるギア効果によりバックスピン量が増加しやすい。ヘッド重心が高くなると、飛距離が低下しやすい。この観点から、投影面積Ｓ２は８０ｃｍ２以上が好ましく、９０ｃｍ２以上がより好ましい。投影面積Ｓ２が広すぎると、アドレス時に違和感が生ずることがある。また、クラウン部６の拡大には、ルール上の制約がある。日本ゴルフ協会のルールは、ヘッドのヒールからトウまでの長さが５インチ以下とされなければならない旨を規定する。更に同ルールは、ヘッドのヒールからトウまでの長さが、フェースから背面までの長さよりも長くされなければならない旨を規定する。アドレス時の違和感を抑制すると共にルールを遵守する観点から、投影面積Ｓ２は、１５０ｃｍ２以下が好ましく、１３０ｃｍ２以下がより好ましい。
【００２８】
座りを良くする観点から、ソール部８の投影面積Ｓ１は、４０ｃｍ２以上が好ましく、４５ｃｍ２以上がより好ましく、５０ｃｍ２以上が更に好ましい。打球音を高くする観点から、投影面積Ｓ１は、７５ｃｍ２以下が好ましく、６５ｃｍ２以下がより好ましく、６０ｃｍ２以下がより好ましい。
【００２９】
凹部１０が、平らな形状に置換された場合、当該置換部分の表面積は、凹部１０よりも小さい。逆に、平らな部分がが凹部１０に置換されることにより、表面積が増加する。平らな形状が凹部１０に置換されることにより、当該置換部分の重量が増加する。この重量増加により、ヘッドの慣性モーメントが増加しやすい。
【００３０】
図４において両矢印ｄ１で示されるのは、凹部１０の深さである。ヘッドの慣性モーメントを増大させる観点から、深さｄ１の最大値ｄｍは、２ｍｍ以上が好ましく、３ｍｍ以上がより好ましい。ヘッドの製造を容易とする観点から、最大深さｄｍは、２０ｍｍ以下が好ましく、１５ｍｍ以下がより好ましい。なお、深さｄ１は、上記平面ＰＬ１による断面において測定される。平面ＰＬ１による断面における深さの最大値が深さｄ１である。この深さｄ１は、あらゆるＹ軸方向の位置のそれぞれにおいて定まる。深さｄ１の最大値が、最大深さｄｍである。
【００３１】
図４において両矢印ｄ２で示されるのは、直線Ｌ２における両縁Ｆ１間の長さである。ヘッドの慣性モーメントを増大させる観点から、長さｄ２の最大値ｄｙは、１２ｍｍ以上が好ましく、１５ｍｍ以上がより好ましい。ソール部の投影面積Ｓ１の過度な減少を抑制し座りを良くする観点から、最大値ｄｙは、５０ｍｍ以下が好ましく、４０ｍｍ以下がより好ましい。長さｄ２は、上記平面ＰＬ１による断面において測定される。この長さｄ２は、あらゆるＹ軸方向の位置のそれぞれにおいて定まる。長さｄ２の最大値が、最大値ｄｙである。
【００３２】
図２において符合Ｐｆで示されているのは、凹部１０における最もフェース側の端である。図２において両矢印Ｗ１で示されているのは、Ｘ軸方向におけるヘッドの最大幅である。図２において両矢印２で示されているのは、ヘッドの最前端と凹部１０の端ＰｆとのＸ軸方向における長さである。凹部１０をバック側に配置する観点から、［Ｗ２／Ｗ１］の値は、１／４以上が好ましい。凹部１０がバック側に配置されることにより、座りが良くなり、且つヘッド重心が低くなりやすい。なお、凹部が２つ以上ある場合は、各凹部の最前端のうち最も前側の端が、端Ｐｆとされる。
【００３３】
図４において両矢印θ１で示されるのは、凹部１０の縁Ｆ１と、この縁Ｆ１に近接するソールエッジＥ１との成す角度である。角度θ１は、ソール部８側の縁Ｆ１と、これに近接するソールエッジＥ１との間で決定される。
【００３４】
角度θ１は、平面ＰＬ１による断面、又は平面ＰＬ２による断面において決定される。平面ＰＬ１は前述した通りである。平面ＰＬ２は、Ｙ軸及びＺ座標に平行な平面である。角度θ１は、Ｘ軸方向及びＹ軸方向のあらゆる位置において定められ得る。平面ＰＬ１又は平面ＰＬ２による断面において、縁Ｆ１から凹部１０側に３ｍｍ隔てた点における接線Ｌ３と、ソールエッジＥ１からソール部８側に３ｍｍ隔てた点における接線Ｌ４とが定められ得る。角度θ１は、接線Ｌ３と接線Ｌ４との成す角度である。Ｘ軸方向又はＹ軸方向の位置によって、角度θ１は変化しうる。最大角度θｍは、全ての角度θ１のうちの最大値である。図４の実施形態では、縁Ｆ１とソールエッジＥ１とが一致している。縁Ｆ１とソールエッジＥ１とは一致していなくてもよい。
【００３５】
最大角度θｍが小さいと、ソール部８と凹部１０との境界が平坦に近くなるので、ソール部８が変形しやすくなり、ソール部８の振動数が低下しやすくなる。打球音を高くする観点から、最大角度θｍは、４５度以上が好ましく、５０度以上がより好ましく、５５度以上がより好ましく、６５度以上が更に好ましい。縁Ｆ１又はソールエッジＥ１への応力集中を緩和する観点から、最大角度θｍは、１２０度以下が好ましく、９０度以下がより好ましく、８５度以下が更に好ましい。
【００３６】
座りを良くする観点から、ソール面１８の曲率半径Ｒ１は、９．０ｃｍ以上が好ましい。ソール部８の振動数を増加させて打球音を高くする観点から、曲率半径Ｒ１は、１１．５ｍｍ以下が好ましい。この曲率半径Ｒ１は、トウ−ヒール方向における曲率半径である。この曲率半径Ｒ１は、前述した平面ＰＬ２による断面において測定される。
【００３７】
上記基準状態のヘッドにおいて、上記平面ＰＬ１によるソール面１８の断面線のうち、水平面Ｖ１と接する断面線は、水平面Ｖ１と平行な直線Ｌ５を有するのが好ましい。これにより、ヘッド２の座りが良くなる。座りを良くする観点から、直線Ｌ５の長さは、この直線Ｌ５を含むソール面１８の断面線の全長の、５０％以上であるのが好ましい。
【００３８】
上記基準状態のヘッドにおいて、上記Ｚ軸における座標、即ちＺ座標を考える。このＺ座標は、上側ほど値が大きくなる。このＺ座標は、上側がプラスである。ソール面１８において最もトウ側の点ＰｔにおけるＺ座標がＺＴ（ｍｍ）とされ、ソール面１８において最も下側の点ＰｃにおけるＺ座標がＺＣ（ｍｍ）とされ、ソール面１８において最もヒール側の点ＰｈにおけるＺ座標がＺＨ（ｍｍ）とされる。ソール部８の変形を抑制し打球音を高くする観点から、［ＺＴ−ＺＣ］の値は、５ｍｍ以上が好ましく、８ｍｍ以上がより好ましく、１０ｍｍ以上が更に好ましい。ヘッド重心を低くして打球性能を向上させる観点から、［ＺＴ−ＺＣ］の値は、２０ｍｍ以下が好ましく、１８ｍｍ以下がより好ましく、１５ｍｍ以下が更に好ましい。ソール部８の変形を抑制し打球音を高くする観点から、［ＺＨ−ＺＣ］の値は、５ｍｍ以上が好ましく、８ｍｍ以上がより好ましく、１０ｍｍ以上が更に好ましい。ヘッド重心を低くして打球性能を向上させる観点から、［ＺＨ−ＺＣ］の値は、２０ｍｍ以下が好ましく、１８ｍｍ以下がより好ましく、１５ｍｍ以下が更に好ましい。
【００３９】
打球音を良好とする観点から、ソール面１８上に描かれた点Ｐｔと点Ｐｃとを最短距離で結ぶ線Ｌ６のＺ座標は、点Ｐｃから点Ｐｔに向かって徐々に大きくなるのが好ましい。打球音を良好とする観点から、ソール面１８上に描かれた点Ｐｈと点Ｐｃとを最短距離で結ぶ線Ｌ７のＺ座標は、点Ｐｃから点Ｐｈに向かって徐々に大きくなるのが好ましい。線Ｌ６又は線Ｌ７のＺ座標が段階的又は急激に変化する場合、ソール面１８において平面に近い部分が生じやすいため、打球音が悪化しやすい。なお、点Ｐｃが複数存在する場合、少なくとも１つの点Ｐｃに関し、線Ｌ６又は線Ｌ７のＺ座標が上記のように徐々に大きくなるのが好ましく、より好ましくは、全ての点Ｐｃに関し、線Ｌ６又は線Ｌ７のＺ座標が上記のように徐々に大きくなるのがよい。
【００４０】
スイングのタイミングを取りやすくするとともに反発性能を高める観点から、ヘッド重量は、１８０ｇ以上が好ましい。ヘッドが重すぎるとクラブが振り切れなくなり、飛距離や打球方向性が低下しやすい。この観点から、ヘッド重量は２１０ｇ以下が好ましい。
【００４１】
ソール部に溝を設けてもよい。溝により、溝周辺の剛性が増加し、ソール振動の周波数が高くされうる。溝の形状は特に限定されない。製造を容易とする観点から、溝の幅は０．５ｍｍ以上が好ましく、１ｍｍ以上がより好ましく、２ｍｍ以上が特に好ましい。溝の幅が広すぎると、溝の無い状態に近くなるので、溝の効果が減少しやすい。この観点から、溝の幅は１０ｍｍ以下が好ましく、８ｍｍ以下がより好ましく、５ｍｍ以下が特に好ましい。溝の深さが小さすぎると、溝の無い状態に近くなるので、溝の効果が減少しやすい。この観点から、溝の深さは０．５ｍｍ以上が好ましく、１ｍｍ以上がより好ましい。溝が深すぎると溝部分の剛性が小さくなり、ソール部８の振動数が低下することがある。また、溝が深すぎると溝を起点とした割れが生じやすくなる。これらの観点から、溝の深さは５ｍｍ以下が好ましく、３ｍｍ以下がより好ましい。
【００４２】
ソール部の内側にリブが設けられてもよい。突起によりソール部の剛性が高められ、打球音が高くなりやすい。打球音を良くする観点から、リブの幅は０．５ｍｍ以上が好ましく、０．８ｍｍ以上がより好ましい。ソール部の重量増加を抑制する観点から、リブの幅は２ｍｍ以下が好ましく、１．５ｍｍ以下がより好ましい。打球音を良くする観点から、リブの高さは０．２ｍｍ以上が好ましく、０．５ｍｍ以上がより好ましい。ソール部の重量増加を抑制する観点から、リブの高さは２ｍｍ以下が好ましく、１ｍｍ以下がより好ましい。
【００４３】
ヘッドの製造方法は限定されない。製造方法としては、鋳造、鍛造、プレス等が挙げられる。中空のヘッドは、２以上の部材を接合することにより得られうる。接合は、溶接が採用されうる。例えば、フェース部材とヘッド本体とが溶接されてなるヘッドが例示される。
【００４４】
ヘッドの各部の厚みは、限定されない。強度を高める観点から、クラウン部の厚みは、０．３ｍｍ以上が好ましい。制約されたヘッド重量のもとでヘッドを大型とする観点から、クラウン部の厚みは、１．２ｍｍ以下が好ましい。強度を高める観点から、サイド部の厚みは、０．３ｍｍ以上が好ましい。制約されたヘッド重量のもとでヘッドを大型とする観点から、サイド部の厚みは、１．２ｍｍ以下が好ましい。強度を高めるとともにヘッド重心を低くする観点から、ソール部の厚みは、０．８ｍｍ以上が好ましい。制約されたヘッド重量のもとでヘッドを大型とする観点から、ソール部の厚みは、３．０ｍｍ以下が好ましい。強度を高める観点から、フェース部の厚みは、２．５ｍｍ以上が好ましい。制約されたヘッド重量のもとでヘッドを大型とする観点から、フェース部の厚みは、４．０ｍｍ以下が好ましい。強度を高めるとともに、ヘッドの慣性モーメントを大きくする観点から、凹部の厚みは、０．３ｍｍ以上が好ましく、０．８ｍｍ以上がより好ましい。制約されたヘッド重量のもとでヘッドを大型とする観点から、凹部の厚みは、３．０ｍｍ以下が好ましく、１．２ｍｍ以下がより好ましい。
【００４５】
ヘッドの材料は、限定されない。ヘッドの材料として、金属、ＣＦＲＰ（炭素繊維強化プラスチック）等が挙げられる。金属としては、ステンレス鋼、マレージング鋼、チタン、チタン合金、マグネシウム合金及びアモルファス合金の１種又は２種以上が好ましい。ヘッドの一部として、比重の大きい錘部材が用いられても良い。
【００４６】
反発係数の向上、慣性モーメントの増大及び重心深度の増大の観点から、ヘッド体積は、４００ｃｃ以上が好ましく、４２０ｃｃ以上がより好ましく、４４０ｃｃ以上がより好ましい。構えやすさや振りやすさの観点から、ヘッド体積は５００ｃｃ以下が好ましく、４８０ｃｃ以下がより好ましく、４６０ｃｃ以下がより好ましい。
【００４７】
図５は、本発明の第二実施形態であるゴルフクラブヘッド２６をクラウン側から見た図である。図６は、ヘッド２６をソール側から見た図である。図７は、ヘッド２６をトウ側から見た図である。図８は、図５のVIII−VIII線に沿った断面図である。
【００４８】
ヘッド２６は、フェース部２８、クラウン部３０、ソール部３２、凹部３４、３５及びホーゼル部３６を備える。ヘッド２６は、２つの凹部３４，３５を有する。フェース部２８の外面はフェース面３８である。クラウン部３０の外面がクラウン面４０である。クラウン面４０は、滑らかに連続している。ソール部３２の外面がソール面４２である。ホーゼル部３６は、シャフト穴４４を備える。図８が示すように、ヘッド２６の内部は、中空である。ヘッド２６は、中空のゴルフクラブヘッドである。ヘッド２６は、ウッド型のゴルフクラブである。
【００４９】
更にヘッド２６は、サイド部４６を有する。サイド部４６の外面がサイド面４８である。サイド部４６は、クラウン部３０とソール部３２との間に位置する。サイド部４６は、無くても良い。
【００５０】
凹部３４は、ソール部３２の周囲に設けられている。凹部３４は、ソール部３２とサイド部４６との間に設けられている。凹部３４は、ソール部３２に近接又は隣接している。凹部３４は、ソール面４２に隣接している。凹部３４の外面は、ソール面４２と連続している。
【００５１】
凹部３５は、ソール部３２の周囲に設けられている。凹部３５は、ソール部３２とサイド部４６との間に設けられている。凹部３５は、ソール部３２に近接又は隣接している。凹部３５は、ソール面４２に隣接している。凹部３５の外面は、ソール面４２と連続している。凹部３５は、凹部３４よりもヒール側に設けられている。
【００５２】
図８は、前述した平面ＰＬ２による断面の一例である。図８においては、凹部３４の角度θ１と、凹部３５の角度θ１とが示されている。本発明のヘッドは、２個以上の凹部を有していても良い。
【実施例】
【００５３】
以下、実施例によって本発明の効果が明らかにされるが、この実施例の記載に基づいて本発明が限定的に解釈されるべきではない。
【００５４】
［実施例１］
板材をプレス成形することによりフェース部材を得た。ヘッド本体は、鋳造により一体的に成形された。ヘッド本体には、クラウン部、ソール部、サイド部、ホーゼル部及び凹部が含まれる。フェース部材とヘッド本体とを溶接して、図１から図４で示されるヘッドを得た。溶接はプラズマ溶接である。フェース部材の材料は、Ｔｉ−６Ａｌ−４Ｖとされた。フェース部材の厚さは、スイートスポット近傍において３．３ｍｍとされ、周辺部において２．５ｍｍとされた。クラウン部の厚み及びサイド部の厚みは、０．７ｍｍとされた。ソール部の厚みは、１．０ｍｍとされた。ヘッド体積は４６０ｃｃであり、ヘッド重量は１９８ｇであり、リアルロフトは１０．５度である。実施例１の仕様と評価結果が、下記の表１で示される。
【００５５】
［実施例２から５及び比較例３］
表１に示された仕様の他は実施例１と同様にして、実施例２から５及び比較例３のヘッドを得た。これらの例の仕様と評価結果が下記の表１で示される。
【００５６】
［実施例６］
図５から図８で示されるヘッド形状とされ、仕様が表１で示される通りとされた他は実施例１と同様にして、実施例６のヘッドを得た。実施例６の仕様と評価結果が下記の表１で示される。実施例６では、２つの凹部の最大高さＨｍは、いずれも１５ｍｍであった。実施例６では、２つの凹部の最大角度θｍは、いずれも６４度であった。
【００５７】
［比較例１］
図９から図１１は、比較例１のヘッド５０を示す。ヘッド５０は、フェース部５２、クラウン部５４、ソール部５６及びホーゼル部５８を備える。ヘッド５０は、前述した凹部１０や凹部３４，３５のような凹部を有さない。図１１が示すように、ヘッド５０の内部は、中空である。ヘッド５０は、ウッド型のゴルフクラブである。更にヘッド５０は、サイド部６０を有する。サイド部６０は、クラウン部５４とソール部５６との間に位置する。以上に説明した他は実施例１と同様にして、比較例１のヘッド５０を得た。この比較例１の仕様と評価結果が、下記の表１で示される。
【００５８】
［比較例２］
表１で示された仕様の他は比較例１と同様にして、比較例２のヘッドを得た。比較例２の仕様と評価結果が、下記の表１で示されている。
【００５９】
［左右慣性モーメントの測定］
左右慣性モーメントは、ＩＮＥＲＴＩＡ  ＤＹＮＡＭＩＣＳ  ＩＮＣ．社製のＭＯＭＥＮＴ  ＯＦ  ＩＮＥＲＴＩＡ  ＭＥＡＳＵＲＩＮＧ  ＩＮＳＴＲＵＭＥＮＴ  ＭＯＤＥＬ  ＮＯ．００５−００２を用いて測定された。左右慣性モーメントは、ヘッド重心を通り上記Ｚ軸に平行な軸回りの慣性モーメントである。この測定結果が、下記の表１で示される。
【００６０】
［ピーク周波数］
ヘッドにカーボンシャフト及びグリップを装着して、ゴルフクラブを作製した。このゴルフクラブをスイングロボットに取り付け、ヘッドスピード４０ｍ／ｓにてゴルフボールを打撃させた。ゴルフボールとしてＳＲＩスポーツ株式会社製の２ピースボール「ＳＲＩＸＯＮ  ＡＤ３３３」が用いられた。ボールをティーアップして打撃がなされた。ティーから３０ｃｍ離れた位置であって、インパクト時のヘッドのトウ側となる位置に、マイクロフォンが設置された。収録された打球音をＦＦＴアナライザーでフーリエ変換し、１／３オクターブバンド処理を行った。最も高い音圧の周波数が、ピーク周波数とされた。この測定結果が、下記の表１で示される。
【００６１】
［官能評価］
各ヘッドが装着されたゴルフクラブを用いて、１０名のゴルファーが打撃した。１０名のゴルファーのハンディキャップは、２０以下である。打球音の心地よさが１点から５点までの５段階で評価された。点数が高いものほど評価が高い。１０名のゴルファーの平均値が、下記の表１で示される。
【００６２】
【表１】
2008183037.tif 000003
【００６３】
表１に示されるように、実施例は、比較例に比べて評価が高い。この評価結果から、本発明の優位性は明らかである。
【産業上の利用可能性】
【００６４】
本発明は、ウッド型ゴルフクラブヘッド、ユーティリティ型のゴルフクラブヘッド、アイアン型ゴルフクラブヘッドなど、あらゆるゴルフクラブヘッドに適用されうる。
【図面の簡単な説明】
【００６５】
【図１】図１は、第一実施形態に係るヘッドをクラウン側から見た図である。
【図２】図２は、図１のヘッドをソール側から見た図である。
【図３】図３は、図１のヘッドをトウ側から見た図である。
【図４】図４は、図１のIV−IV線に沿った断面図である。
【図５】図５は、第二実施形態に係るヘッドをクラウン側から見た図である。
【図６】図６は、図５のヘッドをソール側から見た図である。
【図７】図７は、図５のヘッドをトウ側から見た図である。
【図８】図８は、図５のVIII−VIII線に沿った断面図である。
【図９】図９は、比較例１のヘッドをクラウン側から見た図である。
【図１０】図１０は、図９のヘッドをソール側から見た図である。
【図１１】図１１は、図９のXI−XI線に沿った断面図である。
【符号の説明】
【００６６】
２、２６・・・ヘッド
４、２８・・・フェース部
６、３０・・・クラウン部
８、３２・・・ソール部
１０、３４、３５・・・凹部
Ｆ１・・・凹部の縁
Ｅ１・・・ソールエッジ
Ｈ１・・・凹部の高さ
Ｈｍ・・・凹部の最大高さ  
【図１】
2008183037.tif 000004
【図２】
2008183037.tif 000005
【図３】
2008183037.tif 000006
【図４】
2008183037.tif 000007
【図５】
2008183037.tif 000008
【図６】
2008183037.tif 000009
【図７】
2008183037.tif 000010
【図８】
2008183037.tif 000011
【図９】
2008183037.tif 000012
【図１０】
2008183037.tif 000013
【図１１】
2008183037.tif 000014